(57)【特許請求の範囲】
【請求項１】
頭髪の所定の部位から適量に取り分けられた自毛を束にした単一の自毛束と、エクステンション束とが交差される工程［交差工程］、
前記自毛束と前記エクステンション束とが最初に交差した交差部を基準点Ｃとしたとき、前記基準点Ｃの片側の前記エクステンション束に、前記自毛束が連続して複数回巻き付けられる工程［巻き付け工程］、
前記エクステンション束の長さ方向の一方側と他方側とが互いに対向されるように引き寄せられ、前記エクステンション束の長さ方向の中間部が折り曲げられて、前記エクステンション束の長さ方向の中間部に単一のＣ字状の曲折部を含むＵ字状の折り返し部が形成される工程［折り返し部形成工程］、
前記自毛束の正面側に前記折り返し部の他方側が位置するように、前記折り返し部の一方側と他方側とが反転される工程［反転工程］、
前記自毛束および前記折り返し部で構成される編み目が締められつつ、前記折り返し部が前記自毛束の根元側に変位される工程［変位工程］、
前記曲折部の一方側の背面側に前記曲折部の他方側が位置するように、前記エクステンション束の一方側と他方側とが交差され、前記自毛束の根元側を包み込む単一のループ状部を形成する工程［ループ状部形成工程］、および
前記自毛束と前記エクステンション束とを締め付けることによって、前記ループ状部と前記自毛束とによって形成される編み目が締め付けられ、前記自毛束の根元側が前記ループ状部で包み込まれるように挟持されて締め付けられる工程［包み込み工程］を含み、
一連の前記工程によって、前記自毛束の根元側が前記ループ状部で包み込まれてなる編み部分が形成されることを特徴とする、エクステンション取付け方法。
【請求項２】
前記包み込み工程に引き続いて、前記自毛束と前記エクステンション束とが編み込まれることにより、前記編み部分を固定する編込み部を形成する編込み工程をさらに含むことを特徴とする、請求項１に記載のエクステンション取付け方法。
【請求項３】
前記編込み工程は、前記自毛束と前記エクステンション束の一方側および他方側とが交互に編み込まれる工程を含むことを特徴とする、請求項２に記載のエクステンション取付け方法。
【請求項４】
前記編込み工程で形成された前記編込み部が留められる留め工程をさらに含むことを特徴とする、請求項２または請求項３に記載のエクステンション取付け方法。
【請求項５】
前記留め工程は、弾性を有する線材により、前記編込み部の近傍が緊縛されてなる留め部が形成される緊縛工程を含むことを特徴とする、請求項４に記載のエクステンション取付け方法。
【発明の詳細な説明】
【技術分野】
【０００１】
本願発明は、エクステンション取付け方法に関し、特に、たとえば頭髪から適宜取り分けられた自毛束に、合成樹脂，天然樹脂等で構成される人工毛髪および／または人毛等の天然毛髪の束で構成されるエクステンション束を取付ける、エクステンション取付け方法に関する。
【背景技術】
【０００２】
本願発明の背景となる先行技術には、適量の自毛に熱収縮チューブを挿通して自毛の根元側に配置した後、その自毛と取付用毛束を交差させて自毛をループ状に結んで両者を括り付け、次いで、熱収縮チューブを結び目の位置又はそこから先端側に若干離れた位置に移動させた後、熱収縮チューブを加熱して熱収縮チューブを収縮させることにより、自毛と取付用毛束とを固定するようにした熱収縮チューブを使用したエクステンション方法があった（例えば、特許文献１参照。）。
この場合、加熱により収縮した熱収縮チューブの内側には、自毛と取付用毛束とが、互いに密着すると共に、熱収縮チューブの内側により挟持された状態で固定される。また、この先行技術では、熱収縮チューブの内側層を熱溶融性樹脂により構成すること又は熱収縮チューブの内側面に熱溶融性接着剤を設けることにより、自毛と取付用毛束との結束強度が強くなる。
本願発明の背景となる他の先行技術には、エクステンション束の端部を圧着する第１圧着部と、自毛束の中間部を圧着する第２圧着部とを、長手方向の両側に一体に形成した圧着金具を用いて、圧着作業により自毛束にエクステンション束を取付けるようにしたエクステンション取付具及びエクステンションの取付方法があった（例えば、特許文献２参照。）。
この場合、第１圧着部でエクステンション束の端部が圧着され、第２圧着部で自毛束の中間部が圧着されるので、圧着金具を介して、自毛束とエクステンション束とが取り付けられる。また、この先行技術では、圧着した圧着金具の全体が収縮チューブで覆われているので、手が触れても危険がなく、圧着金具の金属色が目立つこともない。
本願発明の背景となるさらに他の先行技術には、かつらを頭部へ取り付ける毛束の結び目が解けないように固定する結び目の固定構造であって、毛束に作った結び目の両側に、糸等により毛束が緊縛されて、しかも、解けにくい結び目を毛束の結び目を挟むように一組作成する毛束の結び目固定構造があった（例えば、特許文献３参照。）。
この場合、たとえばひとえ結びにされた毛束の結び目の両側に、当該結び目を挟むようにして、８字結び、たて結び、男結び、女結び、はた結び、ひきとり結び、もやい結び、すごき結び、ひばり結び、あわび結び等の解けにくい結び目を別途作成するため、弾力性があって滑り易い髪の毛の動きを拘束して、毛束の結び目の緩みや解けを防止することができる。また、毛束の結び目を接着剤により固定しないため、アレルギー性の人も安心してかつらを取り付けることができる。
本願発明の背景となるさらに他の先行技術には、自毛を適当な場所に１ｃｍの四角いブロックにブロッキングして自毛を上下に分けた後、その自毛の上下の間にエクステンションを通して、自毛の上下を左回りに３回ねじってねじりを作り、自毛の上下の間に通したエクステンションの一方側をねじりの根元に左回りに３回巻きつけて団子をつくり、それから、自毛の上下の間に通したエクステンションの一方側および他方側と、一本にした自毛束とで三つ編みを作った後、ゴムで縛ってとめるようにした、ヘアーエクステンション接続方法があった（例えば、特許文献４参照。）。
この場合、ボンド等の接着剤を使用することなく、エクステンションを自毛と編みこんで接続しているので、自毛に負担をかけないで自毛にエクステンションを接続することができ、且つ、ゴムを切り外すことにより三つ編みを簡単に取り外すことができる。
【０００３】
【特許文献１】特許第３５４２１２６号公報
【特許文献２】特開２００４−２７４０２号公報
【特許文献３】特開２００４−５２１８３号公報
【特許文献４】特開２００４−１００１２８号公報
【発明の開示】
【発明が解決しようとする課題】
【０００４】
しかしながら、熱収縮チューブを使用したエクステンション方法では、熱収縮チューブが必要となり部品点数が増える上、この熱収縮チューブの中に適量の自毛を挿通させることにも熟練した技術を要し、手間のかかるものであった。さらに、熱収縮チューブの内側層を熱溶融性樹脂で形成したり、あるいは、熱収縮チューブの内側面に熱溶融性接着剤を形成した場合には、自毛と取付用毛束との取付部分において、熱溶融性樹脂あるいは熱溶融性接着剤が自毛部分に付着して、自毛を傷めたり、熱溶融性樹脂あるいは熱溶融性接着剤によるアレルギー障害を引き起こす恐れがあった。
また、圧着作業により自毛束にエクステンション束を取付けるようにしたエクステンション取付具及びエクステンションの取付方法では、プレス加工により金属薄板を打ち抜いて所定の形状に折り曲げ加工してなる圧着金具が必要となり、また、エクステンション束と自毛束とを圧着した圧着金具の周囲全体を覆う収縮チューブも必要となるので、これまた、部品点数が多くなるものであった。しかも、エクステンションの取付方法においては、圧着ペンチを用いて圧着金具を加締するため、自毛束とエクステンション束との個々の取り付けが非常に煩雑となり、連続した長時間作業には不向きなものであった。その上、エクステンション束を取り付ける自毛束を頭髪からより分ける場合、たとえば襟足の部分をブロッキングして、３ｍｍ幅前後の自毛束を頭髪からより分け、プラスチックプレートのスリットに差し込んでこれを取り出すなど、非常に手間のかかる工程を要していた。
さらに、かつらの取り付け等を行う毛束の結び目が解けないように固定する結び目の固定構造では、毛束で作った結び目の一方および他方の両側に、それぞれ、当該毛束の結び目を挟むようにして、別々の糸等で結び目を独立して作成したり、あるいは、同じ糸等により一方の結び目を作った後、その糸等を毛束の結び目の裏側を通して他方へ移し、他方にも結び目を作るようにして、２つの結び目が連続しているように作成するため、取り付け作業が煩雑なものとなり、連続作業には不適当なものであった。また、この先行技術では、毛束の結び目を固定するための解けにくい結び目が毛束を強く緊縛し、特に、結び目の一方は、毛束の生え際側を強く引き寄せるため、毛束の根元および頭皮に負担がかかりそれらの部分を傷めてしまう恐れがあった。これは、毛束の結び目を固定するための解けにくい結び目によって毛束の根元側の動きが規制され、毛束の根元部分が可動する自由度が少ないのに起因すると考えられる。
また、接着剤を使用することなく、エクステンションを自毛と編みこんで接続するヘアーエクステンション接続方法では、自毛およびエクステンションを所定の方向に３回ねじることによって、それぞれ、ねじりおよび団子を形成した後、さらに、三つ編みをするため、接続に時間が掛かるものであった。また、髪が伸びてくると、三つ編み部分が緩んで縺れてしまう恐れがあった。
この場合、毛髪自体が弾力性を有するもので滑り易いものであることを考えると、この先行技術でいうところのねじりや団子では、三つ編み部分の緩みを防止することが困難となっていた。また、毛先方向に引っ張られる力に弱いため、その方向に引っ張られたときに、エクステンションが比較的外れ易いものとなっていた。
【０００５】
それゆえに、本願発明の主たる目的は、複雑な器具および煩雑な工程を必要とすることなく簡単に取り付けることができ、自毛および頭皮にかかる負担を低減させることができる、エクステンション取付け方法を提供することである。
【課題を解決するための手段】
【０００６】
請求項１にかかる本願発明は、頭髪の所定の部位から適量に取り分けられた自毛を束にした単一の自毛束と、エクステンション束とが交差される工程［交差工程］と、自毛束とエクステンション束とが交差した交差部を基準点Ｃとしたとき、基準点Ｃの片側のエクステンション束に、自毛束が連続して複数回巻き付けられる工程［巻き付け工程］と、エクステンション束の長さ方向の一方側と他方側とが互いに対向されるように引き寄せられ、エクステンション束の長さ方向の中間部が折り曲げられて、エクステンション束の長さ方向の中間部に単一のＣ字状の曲折部を含むＵ字状の折り返し部が形成される工程［折り返し部形成工程］と、自毛束の正面側に折り返し部の他方側が位置するように、折り返し部の一方側と他方側とが反転される工程［反転工程］と、自毛束および折り返し部で構成される編み目が締められつつ、折り返し部が自毛束の根元側に変位される工程［変位工程］と、曲折部の一方側の背面側に曲折部の他方側が位置するように、エクステンション束の一方側と他方側とが交差され、自毛束の根元側を包み込む単一のループ状部を形成する工程［ループ状部形成工程］と、自毛束とエクステンション束とを締め付けることによって、ループ状部と自毛束とによって形成される編み目が締め付けられ、自毛束の根元側がループ状部で包み込まれるように挟持されて締め付けられる工程［包み込み工程］とを含み、一連の上記工程によって、自毛束の根元側がループ状部で包み込まれてなる編み部分が形成されることを特徴とする、エクステンション取付け方法である。
請求項１にかかる本願発明では、先ず、交差工程によって、単一の自毛束と、エクステンション束とが交差される。そして、巻き付け工程によって、自毛束およびエクステンション束の交差部（基準点Ｃ）の片側のエクステンション束に、自毛束が連続して複数回巻き付けられる。さらに、折り返し部形成工程によって、エクステンション束の長さ方向の中間部が折り曲げられて、エクステンション束の長さ方向の中間部に単一のＣ字状の曲折部を含むＵ字状の折り返し部が形成される。次に、反転工程によって、自毛束の正面側に折り返し部の他方側が位置するように、折り返し部の一方側および他方側の位置が反転される。さらに、変位工程によって、自毛束および折り返し部で構成される編み目が締められつつ、折り返し部が自毛束の根元側に変位される。その後、ループ状部形成工程によって、曲折部の一方側の背面側に曲折部の他方側が位置するように、エクステンション束の一方側と他方側とが交差され、自毛束の根元側を包み込む単一のループ状部が形成される。そして、包み込み工程によって、自毛束とエクステンション束とが締め付けられることで、ループ状部と自毛束とによって形成される編み目が締め付けられる。この場合、自毛束の根元側がループ状部で包み込まれるように挟持されて締め付けられる。
請求項１にかかる本願発明では、上記した一連の工程によって、自毛束の根元側がループ状部で包み込まれてなる編み部分が形成される。
請求項２にかかる本願発明は、請求項１にかかる発明に従属する発明であって、包み込み工程に引き続いて、自毛束とエクステンション束とが編み込まれることにより、編み部分を固定する編込み部を形成する編込み工程をさらに含むことを特徴とする、エクステンション取付け方法である。
請求項２にかかる本願発明では、編込み工程によって、上記編み部分を固定する編込み部が形成される。
請求項３にかかる本願発明は、請求項２にかかる発明に従属する発明であって、編込み工程は、自毛束とエクステンション束の一方側および他方側とが交互に編み込まれる工程を含むことを特徴とする、エクステンション取付け方法である。
請求項３にかかる本願発明では、編込み工程が、自毛束とエクステンション束の一方側および他方側とを交互に編み込む工程を含む。
請求項４にかかる本願発明は、請求項２または請求項３にかかる発明に従属する発明であって、編込み工程で形成された編込み部が留められる留め工程をさらに含むことを特徴とする、エクステンション取付け方法である。
請求項４にかかる本願発明では、留め工程によって、編込み工程で形成された編込み部が緩まないように留められる。
請求項５にかかる本願発明は、請求項４にかかる発明に従属される発明であって、留め工程は、弾性を有する線材により、編込み部の近傍が緊縛されてなる留め部が形成される緊縛工程を含むことを特徴とする、エクステンション取付け方法である。
請求項５にかかる本願発明では、留め工程が、弾性を有する線材により、編込み部の近傍が緊縛されてなる留め部が形成される緊縛工程を含む。
請求項１〜請求項５にかかる本願発明によれば、自毛束の根元側が、エクステンション束で包まれて保護される。しかも、この場合、自毛束の根元側は、部分的にエクステンション束で包まれているだけなので、当該自毛束の根元側の動きがフレキシブルなものとなっている。したがって、請求項１〜請求項５にかかるエクステンション取付け方法によれば、自毛束に取付けられたエクステンション束を動かしても、自毛束の根元側が強く引っ張られるようなことがなく、当該自毛束の根元側および地肌への負担が低減される。
【発明の効果】
【０００７】
本願発明にかかるエクステンション取付け方法によれば、複雑な器具および煩雑な工程を必要とすることなく簡単に取り付けることができ、自毛および頭皮にかかる負担を低減させることができる、エクステンション取付け方法が得られる。
【０００８】
本願発明の上述の目的，その他の目的，特徴および利点は、図面を参照して行う以下の発明を実施するための最良の形態の詳細な説明から一層明らかとなろう。
【発明を実施するための最良の形態】
【０００９】
図１〜図１０は、本願発明にかかるエクステンション取付け方法の一例を示す第１工程図〜第１０工程図である。図１１は、本願発明にかかるエクステンション取付け方法により、自毛束にエクステンション束を取付けた状態の一例を示す使用状態図解図である。以下に示す本実施形態例では、例えば、頭髪の自毛束に使用者の要望に応じた色のエクステンションを取付ける方法について説明する。また、本実施形態例では、自毛束１２およびエクステンション束１４が、それぞれ、長さ方向を有し、その長さ方向の一端と他端との間をそれぞれ中間部と称している。なお、エクステンション束１４の１本１本は、例えば、合成樹脂材料や天然樹脂材料で形成されたもの、または、化学繊維，合成繊維等の人造繊維、羊毛，獣毛，原毛等の天然繊維、その他の繊維材料等で形成されたものが適宜用いられる。
【００１０】
本実施形態例のエクステンション取付け方法１０では、図１１に示すように、先ず、頭髪Ｈの所定の部位から適量に取り分けられた自毛ｈが束にされ、自毛束１２として構成される。この自毛束１２は、たとえば図１に示すように、エクステンション束１４と交差され、エクステンション束１４の長さ方向の中間部にたとえば２回巻き付けられる。この場合、自毛束１２とエクステンション束１４とが、最初に交差した箇所（交差部）Ｃを基準点としたとき（以下、基準点Ｃという。）、つまり、エクステンション束１４の長さ方向の中間部に自毛束１２を最初に交差させた箇所（交差部）をみたとき、当該基準点Ｃの一方側（片側）のエクステンション束１４に、自毛束１２が連続して２回巻き付けられる。
そして、エクステンション束１４の長さ方向の一方側１６ａと他方側１６ｂとが互いに対向されるように引き寄せられて、図１に示すように、Ｕ字状の折り返し部１６が形成される。つまり、エクステンション束１４の長さ方向の中間部が折り曲げられて、エクステンション束１４の長さ方向の中間部に、単一のたとえばＣ字状の曲折部１８が形成される。本実施形態例では、曲折部１８がエクステンション束１４の長さ方向の中央部に形成される。
【００１１】
次に、エクステンション束１４は、たとえば図２に示すように、エクステンション束１４の折り返し部１６の一方側１６ａおよび他方側１６ｂが反転される。この場合、上側に位置していた折り返し部１６の一方側１６ａが下側に位置し、反対に、下側に位置していた折り返し部１６の他方側１６ｂが上側に位置するように、折り返し部１６の一方側１６ａおよび他方側１６ｂが反転される。
【００１２】
さらに、エクステンション束１４の折り返し部１６および自毛束１２で構成される編み目２０が締められつつ、折り返し部１６は、自毛束１２の根元側（頭皮Ｓ側）に変位される（図２および図３参照。）。この場合、自毛束１２は、エクステンション束１４の曲折部１８の一方側１８ａと他方側１８ｂとの間に挟持される。
【００１３】
その後、エクステンション束１４は、たとえば図３の上側および図４に示すように、エクステンション束１４の一方側１６ａと他方側１６ｂとが交差される。エクステンション束１４は、その曲折部１８の他方側１８ｂが一方側１８ａの背面側に位置するように、曲折部１８の一方側１８ａと他方側１８ｂとが交差される。このとき、曲折部１８の他方側１８ｂによって自毛束１２の根元側（頭皮Ｓ側）を包み込むようにして、曲折部１８の一方側１８ａと他方側１８ｂとが交差される。
これによって、エクステンション束１４の長さ方向の中央部には、たとえば図４に示すように、単一のループ状部２２が形成される。
また、自毛束１２の根元側（頭皮Ｓ側）よりも先端側の自毛束１２は、ループ状部２２の一部に巻き付けられるものとなる。
さらに、エクステンション束１４のループ状部２２と自毛束１２とによって、図４に示すように、編み目２４が形成される。
【００１４】
そして、上記した状態を維持しながら、ループ状部２２と自毛束１２とが締め付けられることによって、編み目２４が締まる。この場合、自毛束１２の根元側（頭皮Ｓ側）は、たとえば図５に示すように、ループ状部２２で包み込まれるように挟持され、締め付けられる。上述した一連の編み工程によって、図５に示すような編み部分２６が形成される。
なお、図４では、エクステンション束１４のループ状部２２と自毛束１２とで構成される編み目２４を示すために、ループ状部２２と自毛束１２とが締め付けられる前の状態を便宜的に図示している。
【００１５】
それから、図１〜図５で説明した編み工程に引き続き、当該編み工程で形成された編み部分２６を固定するために、エクステンション束１４の一方側１６ａおよび他方側１６ｂと、自毛束１２の先端側とが、たとえば三つ編みにより編み込まれる。
すなわち、自毛束１２の先端側は、たとえば図６に示すように、エクステンション束１４の他方側１６ｂの背面側を通って、エクステンション束１４の一方側１６ａと他方側１６ｂとの間に変位される。さらに、エクステンション束１４の一方側１６ａが、たとえば図７に示すように、先に変位された自毛束１２の背面側を通って、変位された自毛束１２とエクステンション束１４の他方側１６ｂとの間に変位される。さらに、エクステンション束１４の他方側１６ｂが、たとえば図８に示すように、先に変位されたエクステンション束１４の一方側１６ａの背面側を通って、自毛束１２とエクステンション束１４の一方側１６ａとの間に変位される。さらに、自毛束１２が、たとえば図９に示すように、先に変位されたエクステンション束１４の他方側１６ｂとエクステンション束１４の一方側１６ａとの間に変位される。
【００１６】
図６〜図９で説明した編込み工程によって三つ編みに編み込まれた編込み部２８は、たとえば図１０に示すように、当該編込み部２８の下端部近傍部分が、留め部３０によって留められる。この場合、弾性を有する線材３２が、編込み部２８の下端部近傍部分に複数回巻かれて緊縛される。線材３２は、天然樹脂および／または合成樹脂からなる糸等で形成されている。
なお、図６〜図９で説明した編込み工程では、三つ編みによって編込み部２８が編み込まれたが、三つ編みに限定されることはなく、たとえば四つ編み、五つ編みにより編み込まれてもよく、また、それ以上の編み数で編み込んでもよく、さらに、表三つ編み、裏三つ編み、それ以外にも、ねじり編み、片編み、縄編み等、各種編み込み方法が適用され得るものである。
【００１７】
本実施形態例のエクステンション取付け方法１０では、自毛束１２の根元側（頭皮Ｓ側）が、図１０および図１１等に示すように、エクステンション束１４のループ状部２２で包み込まれて保護されている。この場合、自毛束１２の根元側（頭皮Ｓ側）は、ループ状部２２で包まれているだけの構造となっているので、自毛束１２の根元側（頭Ｓ側）の動きを規制するものがなく、当該自毛束１２の根元側（頭皮Ｓ側）の動きがフレキシブルなものとなる。この場合、自毛束１２の根元側（頭皮Ｓ側）は、ループ状部２２で包まれているだけの構造を有するため、自毛束１２とエクステンション束１４とを接続した後の状態をみてみると、たとえば図１１に示すように、真っ直ぐ下に垂下した状態となり、自毛ｈの自然な垂下状態と適合するものとなる。
このようなことから、エクステンション取付け方法１０によれば、当該自毛束１２の根元側（頭皮側）の自由度を高めることができる。そのため、自毛束１２に取付けられたエクステンション束１４を動かしても、自毛束１２の根元側（頭皮Ｓ側）への負荷が低減され、自毛束１２の根元側（頭皮Ｓ側）および頭皮にかかる負担を極力少なくすることができる。
さらに本実施形態例のエクステンション取付け方法１０では、複雑な器具および煩雑な工程を必要とすることなく、簡単に、エクステンション束１４を自毛束１２に取り付けることができる。
【産業上の利用可能性】
【００１８】
本願発明にかかるエクステンション取付け方法は、種々のヘアーデザインを形成する手段の１つとしての所謂ヘアー装飾用のエクステンションとして用いられて好適なものであるが、それ以外にも、特に、例えば、脱毛や火傷等で頭髪が少なくなった部分に増毛する際の増毛方法、あるいは、かつらを取付ける場合に、頭部に残っている自毛とかつらとを取付ける際のかつら取付け方法にも適宜用いられるものである。
【図面の簡単な説明】
【００１９】
【図１】本願発明にかかるエクステンション取付け方法の一例を示す第１工程図である。
【図２】本願発明にかかるエクステンション取付け方法の一例を示す第２工程図である。
【図３】本願発明にかかるエクステンション取付け方法の一例を示す第３工程図である。
【図４】本願発明にかかるエクステンション取付け方法の一例を示す第４工程図である。
【図５】本願発明にかかるエクステンション取付け方法の一例を示す第５工程図である。
【図６】本願発明にかかるエクステンション取付け方法の一例を示す第６工程図である。
【図７】本願発明にかかるエクステンション取付け方法の一例を示す第７工程図である。
【図８】本願発明にかかるエクステンション取付け方法の一例を示す第８工程図である。
【図９】本願発明にかかるエクステンション取付け方法の一例を示す第９工程図である。
【図１０】本願発明にかかるエクステンション取付け方法の一例を示す第１０工程図である。
【図１１】本願発明にかかるエクステンション取付け方法により、自毛束にエクステンション束を取付けた状態の一例を示す使用状態図解図である。
【符号の説明】
【００２０】
１０  エクステンション取付け方法
１２  自毛束
１４  エクステンション束
１６  折り返し部
１６ａ  エクステンション束の長さ方向の一方側
１６ｂ  エクステンション束の長さ方向の他方側
１８  曲折部
１８ａ  曲折部の長さ方向の一方側
１８ｂ  曲折部の長さ方向の他方側
２０，２４  編み目
２２  ループ状部
２６  編み部分
２８  編込み部
３０  留め部
３２  線材
Ｈ  頭髪
Ｓ  頭皮
ｈ  自毛
【図１】
0004698206.tif 000002
【図２】
0004698206.tif 000003
【図３】
0004698206.tif 000004
【図４】
0004698206.tif 000005
【図５】
0004698206.tif 000006
【図６】
0004698206.tif 000007
【図７】
0004698206.tif 000008
【図８】
0004698206.tif 000009
【図９】
0004698206.tif 000010
【図１０】
0004698206.tif 000011
【図１１】
0004698206.tif 000012